(57)【要約】【課題】インターホンシステムを活用しつつ、離れた部屋で動作する家庭用電化機器や住宅用設備機器の状態を知得して、ユーザに報知可能とする。【解決手段】電子レンジ８等の家庭用電化機器や住宅用設備機器は、インターホンシステム１の親機２と接続される。電子レンジ８の加熱が完了すると、電子レンジ８は、その旨の信号を親機２に送信し、親機２は、報知音を鳴動させてユーザに通知する。また、親機２は、照明制御装置１５に制御信号を送信し、照明装置１７の照明状態を制御してユーザに通知する。さらに、親機２は、副親機３等に電子レンジ８の加熱が完了した旨の信号を送信し、副親機３等は、報知音を鳴動させてユーザに通知する。【選択図】図１
2011151680.tif 000002
【特許請求の範囲】
【請求項１】
家庭用電化機器及び／又は住宅用設備機器と無線又は有線で接続されて、前記家庭用電化機器又は住宅用設備機器から送信された該家庭用電化機器又は住宅用設備機器の動作状態を示す信号を受信する受信部と、前記受信部によって受信された信号に基づいて前記家庭用電化機器又は住宅用設備機器の動作状態を知得する制御部と、前記制御部によって前記家庭用電化機器又は住宅用設備機器の動作状態が知得されたとき、報知音を鳴動させて通知する通知部とを有する主通信機を備えたことを特徴とするインターホンシステム。
【請求項２】
前記主通信機と無線又は有線で接続されて、該主通信機から送信された前記家庭用電化機器又は住宅用設備機器の動作状態を示す信号を受信する受信部と、前記受信部によって受信された信号に基づいて前記家庭用電化機器又は住宅用設備機器の動作状態を知得する制御部と、前記制御部によって前記家庭用電化機器又は住宅用設備機器の動作状態が知得されたとき、報知音を鳴動させて通知する通知部を有する副通信機を備えたことを特徴とする請求項１に記載のインターホンシステム。
【請求項３】
前記主通信機及び／又は副通信機は、時間を計数する計数部をさらに有し、
前記制御部は、前記計数部によって計数された時間に基づいて計算した時刻に応じて前記通知部によって鳴動される報知音の音量を制御することを特徴とする請求項１又は請求項２に記載のインターホンシステム。
【請求項４】
前記主通信機及び／又は副通信機は、周囲の騒音レベルを検知する騒音検知部をさらに有し、
前記制御部は、前記騒音検知部によって検知された騒音レベルに応じて前記通知部によって鳴動される報知音の音量を制御することを特徴とする請求項１乃至請求項３のいずれか一項に記載のインターホンシステム。
【請求項５】
前記主通信機及び／又は副通信機は、該主通信機及び副通信機が設置されている部屋を照明する照明装置と無線又は有線で接続され、
前記制御部は、前記通知部に報知音を鳴動させる際に、各部屋に設置されている照明装置の点灯状態を制御することを特徴とする請求項１乃至請求項４のいずれか一項に記載のインターホンシステム。
【請求項６】
前記主通信機及び／又は副通信機は、人体を検知する人体検知センサと無線又は有線で接続され、
前記制御部は、前記人体検知センサによって人体が検知された場所の周辺部においてのみ、報知音の鳴動及び／又は照明装置の点灯状態を制御することを特徴とする請求項１乃至請求項５のいずれか一項に記載のインターホンシステム。
【請求項７】
前記主通信機及び／又は副通信機に接続される増設用の通知部をさらに備えたことを特徴とする請求項１又は請求項２に記載のインターホンシステム。
【発明の詳細な説明】
【技術分野】
【０００１】
本発明は、住宅内の通信システムとして配設されるインターホンシステムに関するものである。
【背景技術】
【０００２】
住宅内の各部屋間で相互に通信を行うシステムとして、インターホンシステムが広く普及している。従来のインターホンシステムは、玄関を訪れた来客や各部屋に居るユーザによって操作され、撮像した映像を表示したり収録した音声を出力することにより相互に通話を行うことを主な機能としていた。
【０００３】
一方、近年、多種多様な家庭用電化機器や住宅用設備機器が開発され、様々な製品が住宅の各部屋に導入されている。これらの製品は、個々の部屋内で機能して、動作状態を示す表示や報知音が出力されるため、離れた部屋で動作する家庭用電化機器や住宅用設備機器の状態を知得して、ユーザに報知できるような監視システムが望まれている。
【０００４】
例えば、特許文献１には、浴室の給湯完了を台所に設置されたリモートコントローラで報知する技術が示されている。この技術においては、給湯システムにインターホン機能を追加することにより浴室と台所との間で通話が可能とされている。
【先行技術文献】
【特許文献】
【０００５】
【特許文献１】特開２００５−３４７８５４号公報
【発明の概要】
【発明が解決しようとする課題】
【０００６】
しかしながら、上記特許文献１に示された技術は、給湯システムをベースとしているため、浴室以外に設置され多様な動作を実行する他の家庭用電化機器や住宅用設備機器等の状態を離れた部屋に居るユーザに報知することができなかった。
【０００７】
本発明は、上記課題を解決するためになされたものであり、インターホンシステムを活用しつつ、離れた部屋で動作する家庭用電化機器や住宅用設備機器の状態を知得して、ユーザに報知するシステムを提供することを目的とする。
【課題を解決するための手段】
【０００８】
上記目的を達成するために請求項１の発明は、家庭用電化機器及び／又は住宅用設備機器と無線又は有線で接続されて、前記家庭用電化機器又は住宅用設備機器から送信された該家庭用電化機器又は住宅用設備機器の動作状態を示す信号を受信する受信部と、前記受信部によって受信された信号に基づいて前記家庭用電化機器又は住宅用設備機器の動作状態を知得する制御部と、前記制御部によって前記家庭用電化機器又は住宅用設備機器の動作状態が知得されたとき、報知音を鳴動させて通知する通知部とを有する主通信機を備えたことを特徴とするインターホンシステムである。
【０００９】
請求項２の発明は、請求項１に記載のインターホンシステムにおいて、前記主通信機と無線又は有線で接続されて、該主通信機から送信された前記家庭用電化機器又は住宅用設備機器の動作状態を示す信号を受信する受信部と、前記受信部によって受信された信号に基づいて前記家庭用電化機器又は住宅用設備機器の動作状態を知得する制御部と、前記制御部によって前記家庭用電化機器又は住宅用設備機器の動作状態が知得されたとき、報知音を鳴動させて通知する通知部を有する副通信機を備えたことを特徴とする。
【００１０】
請求項３の発明は、請求項１又は請求項２に記載のインターホンシステムにおいて、前記主通信機及び／又は副通信機は、時間を計数する計数部をさらに有し、前記制御部は、前記計数部によって計数された時間に基づいて計算した時刻に応じて前記通知部によって鳴動される報知音の音量を制御することを特徴とする。
【００１１】
請求項４の発明は、請求項１乃至請求項３のいずれか一項に記載のインターホンシステムにおいて、前記主通信機及び／又は副通信機は、周囲の騒音レベルを検知する騒音検知部をさらに有し、前記制御部は、前記騒音検知部によって検知された騒音レベルに応じて前記通知部によって鳴動される報知音の音量を制御することを特徴とする。
【００１２】
請求項５の発明は、請求項１乃至請求項４のいずれか一項に記載のインターホンシステムにおいて、前記主通信機及び／又は副通信機は、該主通信機及び副通信機が設置されている部屋を照明する照明装置と無線又は有線で接続され、前記制御部は、前記通知部に報知音を鳴動させる際に、各部屋に設置されている照明装置の点灯状態を制御することを特徴とする。
【００１３】
請求項６の発明は、請求項１乃至請求項５のいずれか一項に記載のインターホンシステムにおいて、前記主通信機及び／又は副通信機は、人体を検知する人体検知センサと無線又は有線で接続され、前記制御部は、前記人体検知センサによって人体が検知された場所の周辺部においてのみ、報知音の鳴動及び／又は照明装置の点灯状態を制御することを特徴とする。
【００１４】
請求項７の発明は、請求項１又は請求項２に記載のインターホンシステムにおいて、前記主通信機及び／又は副通信機に接続される増設用の通知部をさらに備えたことを特徴とする。
【発明の効果】
【００１５】
請求項１の発明によれば、インターホンシステムを活用して、主通信機から離れた場所に設置された家庭用電化機器又は住宅用設備機器を監視し、その動作状態をユーザに通知できる。これにより、ユーザは、各家庭用電化機器又は住宅用設備機器の付近において各動作の完了等を待つ必要がなくなる。また、離れた場所にある各家庭用電化機器又は住宅用設備機器が個々に発する動作完了等の通知をユーザが聞き逃して各家庭用電化機器又は住宅用設備機器が動作完了等の状態のまま放置されることがなくなるので、無駄なエネルギーの消費を抑制することができる。
【００１６】
請求項２の発明によれば、副通信機によって家庭用電化機器又は住宅用設備機器の動作状態を通知できるので、ユーザは主通信機から離れて待機することが可能になり、インターホンシステムの利便性が高められる。なお、副通信機は、主通信機とは別の部屋に設置されていてもよいし、持ち運び（携帯）可能であってもよい。例えば、ユーザが庭やベランダに出る際にも副通信機を携行することにより、家庭用電化機器又は住宅用設備機器の動作状態を知得することができ、インターホンシステムの利便性が高められる。
【００１７】
請求項３の発明によれば、時刻に応じて通知部によって鳴動される報知音の音量を調整できる。例えば、家事を集中的に行う朝や夕方から夜にかけては音量を大きくし、深夜においては音量を抑えることができる。これにより、快適な生活を維持しつつ、ユーザへの報知を確実に行うことができる。
【００１８】
請求項４の発明によれば、周囲の騒音レベルに応じて通知部によって鳴動される報知音の音量を調整できる。例えば、騒音レベルが所定の閾値より大きくなると音量を大きくし、騒音レベルが所定の閾値より小さくなると音量を抑えることができる。これにより、より一層快適な生活を維持しつつ、ユーザへの報知を確実に行うことができる。
【００１９】
請求項５の発明によれば、報知音と共に照明装置の点灯状態によって家庭用電化機器又は住宅用設備機器の動作状態を通知できる。例えば、照明装置を点滅させたり、一時的に照度を調整することにより、ユーザが報知音を聞き逃した場合であっても、家庭用電化機器又は住宅用設備機器の動作状態をより確実に通知できるようになる。
【００２０】
請求項６の発明によれば、人感センサによって人体が検知された部屋にのみ報知音の鳴動等の通知を行うので、家庭用電化機器又は住宅用設備機器の動作状態をユーザが居る場所で確実に通知すると共に、ユーザが居ない場所での不必要な通知を回避して、消費電力の低減を図ることができる。
【００２１】
請求項７の発明によれば、増設用の通知部を用いて主通信機又は副通信機から離れた場所にいるユーザに家庭用電化機器又は住宅用設備機器の動作状態を通知できる。これにより、ユーザは主通信機等から離れて待機することが可能になり、インターホンシステムの利便性が高められる。
【図面の簡単な説明】
【００２２】
【図１】本発明の一実施形態によるインターホンシステムの構成を示す図。
【図２】同システムに適用される親機の構成を示すブロック図。
【図３】同システムに適用される副親機の構成を示すブロック図。
【図４】同システムに適用される照明制御装置の構成を示すブロック図。
【図５】家庭用電化機器として電子レンジ、洗濯機及び携帯電話機を適用した場合のインターホンシステムの動作の一例を時系列で示すタイムチャート。
【図６】親機に増設スピーカ装置と副親機を接続した場合のインターホンシステムの動作の一例を時系列で示すタイムチャート。
【図７】時間帯と報知音の音量との関係を示す図。
【図８】騒音レベルと報知音の音量との関係を示す図。
【図９】時間帯及び騒音レベルと報知音の音量との関係を示す図。
【図１０】報知の形態として照明装置を併用した場合のインターホンシステムの動作の一例を時系列で示すタイムチャート。
【図１１】複数の部屋に親機及び人体検知センサ、又は副親機及び人体検知センサがそれぞれ配設された場合のインターホンシステムの動作の一例を時系列で示すタイムチャート。
【図１２】報知の形態として携帯用端末を併用した場合のインターホンシステムの動作の一例を時系列で示すタイムチャート。
【発明を実施するための形態】
【００２３】
本発明の一実施形態によるインターホンシステムについて図面を参照して説明する。図１はインターホンシステムの概略構成を示している。インターホンシステム１は、親機（主通信機）２と、副親機（副通信機）３、４と、子機５と、ライト付センサーカメラ６等を備えている。
【００２４】
親機２は、１階のリビングルーム等に配設され、副親機３、４及び子機５の他冷蔵庫７、電子レンジ８、携帯電話機１０、電動アシスト自転車１１等の家庭用電化機器や、ＩＨクッキングヒーター９等の住宅用設備機器と接続されている。本実施形態においては、それぞれの接続は有線によってなされているが、無線で接続されていてもよい。上記各機器には、親機２に各機器の動作状態を示す信号を送信するための送信部が設けられている。各機器の動作状態を示す信号の一例としては、動作が完了した旨の信号の他、動作が開始された旨の信号や動作中である旨の信号が挙げられる。また、親機２は、窓開閉センサ１２、人体検知センサ１３、非常用発信器１４及び照明制御装置１５、１６等の住宅用設備機器とも無線によって接続されている。
【００２５】
副親機３、４は、親機２とは異なる部屋に配設されている。例えば、副親機３、４は、寝室や子供部屋等に配設されている。親機２、副親機３、４、子機５は、それぞれマイク装置２５、３３とスピーカ装置２６、３４等を備えており（図２、３参照、子機については図示せず）、ユーザは親機２、副親機３、４、子機５を介して相互に通話可能とされている。子機５及びライト付センサーカメラ６は、玄関等に配設され、来客を検知し、親機２に通知する。ライト付センサーカメラ６によって撮像された映像は、親機２及び副親機３、４に転送される。
【００２６】
窓開閉センサ１２は、主要な窓の開閉を検知して、親機２に通知する。人体検知センサ１３は、各部屋に配設され、赤外線等を検知することにより、人体の存在を検知し、親機２に通知する。非常用発信器１４は、トイレや浴室に配設され、非常事態が発生したことを親機２に通知する。照明制御装置１５、１６は、各部屋に配設され、親機２又は副親機３、４から発信された制御信号に基づいて各部屋の照明装置１７、１８を制御する。親機２から副親機３、４を介して照明制御装置１６に制御信号を発信するように構成してもよい。
【００２７】
図２は、親機２の構成を示している。親機２は、副親機３、４、子機５が接続され、相互に通信を行う送受信部２１と、冷蔵庫７、電子レンジ８、ＩＨクッキングヒーター９、携帯電話機１０、電動自転車１１が有線接続され、各機器から送信された信号を受信する有線受信部（受信部）２２と、窓開閉センサ１２、人体検知センサ１３、非常用発信器１４と接続され、各センサ等から無線送信された信号を受信する無線受信部２３と、照明制御装置１５と無線接続され、制御信号を送信する無線送信部２４と、ユーザの音声や周囲の騒音を収録するマイク装置（騒音検知部）２５と、音声や各種の報知音を出力するスピーカ装置（通知部）２６と、映像を出力するモニタ装置２７と、ユーザによって操作される操作部２８と、各部の制御を司る制御部２９と、時刻を計数する計数部２Ａと、各機器が動作した日時等を記憶する記憶部２Ｂ等によって構成されている。
【００２８】
図３は、副親機３の構成を示している。副親機４も副親機３と同等の構成であるため、説明は省略する。副親機３は、親機２、副親機４が接続され、相互に通信を行う送受信部３１と、照明制御装置１６と無線接続され、制御信号を送信する無線送信部３２と、ユーザの音声や周囲の騒音を収録するマイク装置（騒音検知部）３３と、音声や各種の報知音を出力するスピーカ装置３４と、映像を出力するモニタ装置３５と、ユーザによって操作される操作部３６と、各部の制御を司る制御部３７等によって構成されている。
【００２９】
図４は、照明制御装置１５の構成を示している。照明制御装置１６も同等の構成であるため、説明は省略する。照明制御装置１５は、親機２等から無線送信された制御信号を受信する無線受信部１５１と、ユーザによって操作される操作部１５２と、照明装置１７の制御を司る制御部１５３等によって構成されている。
【００３０】
図５は、家庭用電化機器として電子レンジ８、洗濯機１９及び携帯電話機１０を適用した場合のインターホンシステム１の動作の一例を示している。図中上から下に向かって時間が進行する。電子レンジ８の加熱を開始し、洗濯機１９を用いて洗濯を開始した後、電子レンジ８の加熱が完了すると、電子レンジ８は、その旨の信号を親機２に送信して通知を行い、親機２の制御部２９は、スピーカ装置２６から報知音を鳴動させる。一方、子機５が来客によって操作されると、子機５から親機２に対してその旨の信号が送信される。来客の通知を受けた親機２は、その旨の報知音をスピーカ装置２６から鳴動させる。その後、洗濯が完了すると、洗濯機１９から親機２に対してその旨の信号が送信され、洗濯完了の通知を受けた親機２は、その旨の報知音をスピーカ装置２６から鳴動させる。また、予め充電が開始されていた携帯電話機１０の充電が完了すると、携帯電話機１０から親機２に対してその旨の信号が送信され、充電完了の通知を受けた親機２は、その旨の報知音をスピーカ装置２６から鳴動させる。各機器から親機２に送信される信号は、各機器のアドレス等が添付され、制御部２９によって区別される。また、上記報知音は、各機器に応じて適宜設定することができる。
【００３１】
図６は、親機２に増設スピーカ装置２Ｃと副親機３を接続した場合のインターホンシステム１の動作の一例を示している。電子レンジ８の加熱が開始され完了すると、電子レンジ８は、その旨の信号を親機２に送信して通知を行い、親機２の制御部２９は、スピーカ装置２６及び増設スピーカ装置２Ｃから報知音を鳴動させる。また、親機２は副親機３に電子レンジ８の加熱が完了した旨の信号を送信して通知を行い、副親機３の制御部３７は、スピーカ装置３４から報知音を鳴動させる。一方、子機５が来客によって操作されると、子機５から親機２に対してその旨の信号が送信される。来客の通知を受けた親機２は、その旨の報知音をスピーカ装置２６及び増設スピーカ装置２Ｃから鳴動させる。また、親機２は副親機３に来客がある旨の信号を送信して通知を行い、副親機３の制御部３７は、スピーカ装置３４から報知音を鳴動させる。また、予め洗濯機１９によって開始されていた洗濯が完了すると、洗濯機１９から親機２に対してその旨の信号が送信され、洗濯完了の通知を受けた親機２は、その旨の報知音をスピーカ装置２６及び増設スピーカ装置２Ｃから鳴動させる。また、親機２は副親機３に洗濯が完了した旨の信号を送信して通知を行い、副親機３の制御部３７は、スピーカ装置３４から報知音を鳴動させる。
【００３２】
図７は、時間帯と報知音の音量との関係を示している。本実施形態においては、親機２の計数部２Ａによって時刻を計数し、制御部２９が時間帯に応じてスピーカ装置２６及び増設スピーカ装置２Ｃから出力される報知音の音量を調整する。報知音の音量は、制御部２９がスピーカ装置２６及び増設スピーカ装置２Ｃのアンプのゲインを制御することによって調整される。例えば、図７に示すように、朝の時間帯（７時〜９時）及び夕方から夜にかけての時間帯（１７時〜２１時）は報知音量を大きく、昼の時間帯（９時〜１７時）は報知音量を中くらいに、深夜から朝にかけての時間帯（２１時〜７時）は報知音量を小さく設定する。各時間帯や報知音量は、ユーザが適宜設定できるように構成されていてもよい。
【００３３】
副親機３のスピーカ装置３４の音量は、親機２から通知される時刻情報に応じて設定する。また、副親機３にも時刻を計数する計数部を設け、自ら計数した時刻に応じて設定するように構成してもよい。
【００３４】
図８は、騒音レベルと報知音の音量との関係を示している。本実施形態において、親機２、副親機３は、通話用に備えられているマイク装置２５、３３を用いて、周囲の騒音レベルを検知することができる。そこで、親機２の制御部２９は、親機２の周囲の騒音レベルを所定の閾値と比較した結果に基づいて、スピーカ装置２６及び増設スピーカ装置２Ｃから出力される報知音の音量を調整する。同様に、制御部３７は、副親機３の周囲の騒音レベルを所定の閾値と比較した結果に基づいて、スピーカ装置３４から出力される報知音の音量を調整する。例えば、図８に示すように、周囲の騒音レベルが７０ｄＢ以上のときは報知音量を大きく、周囲の騒音レベルが５０ｄＢ以上で７０ｄＢ未満のときは報知音量を中くらいに、周囲の騒音レベルが５０ｄＢ未満のときは報知音量を小さく設定する。各閾値や報知音量は、ユーザが適宜設定できるように構成されていてもよい。
【００３５】
図９は、時間帯及び騒音レベルと報知音の音量との関係を示している。本実施形態においては、時間帯毎に周囲の騒音レベルに応じて報知音の音量を設定できる。例えば、朝の時間帯（７時〜９時）及び夕方から夜にかけての時間帯（１７時〜２１時）において、周囲の騒音レベルが７０ｄＢ以上の場合、報知音量を極大に設定してユーザに確実に報知できるようにする。また、深夜から朝にかけての時間帯（２１時〜７時）において、周囲の騒音レベルが５０ｄＢ未満のときは報知音量を極小に設定し、必要最小限の報知に留める。図９に示すように、各時間帯において各騒音レベルに応じて報知音の音量を細かく設定することにより、ユーザの生活習慣や周囲の環境に応じて必要かつ十分な報知を行うことができる。
【００３６】
図１０は、報知の形態として、照明装置１７を併用する例を示している。親機２の制御部２９は、電子レンジ８による加熱及び洗濯機１９による洗濯が完了した旨の信号を受信すると、スピーカ装置２６から報知音を鳴動させると共に、照明制御装置１５に照明装置１７を点灯させる旨の制御信号を送信して通知する。照明制御装置１５は、親機２から送信された制御信号に応じて、照明装置１７を点灯させる。これにより、音と光を併用して機器の動作状態をユーザに通知することが可能となる。照明装置１７の状態制御は、点灯に限られることなく、消灯や点滅、照度の変更等を用いてもよい。なお、  図１０においては、来客の報知に照明装置１７の状態制御を行っていないが、報知音の鳴動と連動させて照明装置１７の状態制御を行うものとしてもよい。この場合は、各機器の動作が完了した場合と区別できるように、照明装置１７の点灯状態を設定する。
【００３７】
図１１は、部屋Ａに親機２及び人体検知センサ１３Ａ、部屋Ｂに副親機３及び人体検知センサ１３Ｂ、部屋Ｃに副親機４及び人体検知センサ１３Ｃがそれぞれ配設された例を示している。人体検知センサ１３Ａによって人体の存在が検知されたとき、その旨の信号が親機２に送信され、親機２の記憶部２Ｂ（図２参照）にその旨登録される。副親機３、４についても、同様である。図１１においては、当初、部屋Ａの人体検知センサ１３Ａ及び部屋Ｃの人体検知センサ１３Ｃにおいて人体の存在が検知され、親機２の記憶部２Ｂに登録される。その後、親機２の制御部２９が、電子レンジ８による加熱が完了した旨の信号を受信すると、スピーカ装置２６から報知音を鳴動させると共に、副親機４に電子レンジ８の加熱が完了した旨の信号を送信して通知を行う。副親機４の制御部は、スピーカ装置から報知音を鳴動させる。このとき、記憶部２Ｂに登録されていない部屋Ｂの副親機３については、電子レンジ８の加熱が完了した旨の通知は行わないため、部屋Ｂにおける報知音の鳴動は回避される。
【００３８】
その後、部屋Ｂの人体検知センサ１３Ｂにおいて人体の存在が検知され、部屋Ｃの人体検知センサ１３Ｃにおいて人体の存在が非検知とされると、親機２の記憶部２Ｂの登録が更新される。そして、親機２の制御部２９が、洗濯機１９による洗濯が完了した旨の信号を受信すると、スピーカ装置２６から報知音を鳴動させると共に、副親機３に洗濯機１９による洗濯が完了した旨の信号を送信して通知を行う。これを受けた副親機３の制御部３７は、スピーカ装置３４から報知音を鳴動させる。このとき、記憶部２Ｂに登録されていない部屋Ｃの副親機４については、洗濯機１９による洗濯が完了した旨の通知は行わないため、部屋Ｃにおける報知音の鳴動は回避される。なお、副親機及び人体検知センサは、部屋以外の廊下等に配設されていても、上記と同様である。また、図５、１０、１１、１２における通知は、各機器の動作の完了に限られることなく、動作状態について実行してもよい。
【００３９】
図１２は、報知の形態として、携帯用端末３１を併用する例を示している。携帯用端末３１は、ユーザが、例えばユーザが庭やベランダ等に出る際に携帯するポータブル端末であり、例えば携帯電話機等を用いてもよい。携帯用端末３１を用いることにより、親機２又は副親機３、４から離れた場所においても、各機器の動作の完了を通知できるようになる。図１２に示すように、親機２の制御部２９が、電子レンジ８による加熱が完了した旨の信号を受信すると、スピーカ装置２６から報知音を鳴動させると共に、携帯用端末３１に電子レンジ８の加熱が完了した旨の信号を送信して通知を行う。携帯用端末３１には、報知音を鳴動させるスピーカ装置が内蔵されており、親機２から上記通知を受けた携帯用端末３１は、スピーカ装置から報知音を鳴動させて、ユーザに通知する。来客の際及び洗濯機１９による洗濯が完了したときも同様である。
【００４０】
家庭用電化機器には、例えば掃除機のように、定期的に運用するのが望ましい機器も存在する。そこで本実施形態においては、親機２の制御部２９が、掃除機（図示せず）による掃除が開始又は完了した旨の信号を受信すると、記憶部２Ｂにその日時を記憶させ、計数部２Ａが所定の日時を計数した後、報知音を鳴動させて、ユーザに掃除機の使用を促す旨の通知を行う。
【００４１】
以上のように、本実施形態によれば、インターホンシステム１を活用して、親機２から家庭用電化機器又は住宅用設備機器を監視し、その動作状態をユーザに通知できる。これにより、ユーザは、各機器の付近において各動作が完了等するのを待つ必要がなくなる。また、離れた場所にある各機器が個々に発する動作完了等の通知をユーザが聞き逃して各機器が動作完了等の状態のまま放置されることがなくなるので、無駄なエネルギーの消費を抑制することができる。また、親機２とは別の場所に設置された副親機３、４によって各機器の動作状態を通知できるので、ユーザは親機２から離れて待機することが可能になり、インターホンシステムの利便性が高められる。
【００４２】
また、時刻に応じてスピーカ装置２６等によって鳴動される報知音の音量を調整できる。例えば、家事を集中的に行う朝や夕方から夜にかけては音量を大きくし、深夜においては音量を抑えることができる。これにより、快適な生活を維持しつつ、ユーザへの報知を確実に行うことができる。また、周囲の騒音レベルに応じてスピーカ装置２６等によって鳴動される報知音の音量を調整できる。例えば、騒音レベルが所定の閾値より大きくなると音量を大きくし、騒音レベルが所定の閾値より小さくなると音量を抑えることができる。これにより、より一層快適な生活を維持しつつ、ユーザへの報知を確実に行うことができる。
【００４３】
また、報知音と共に照明装置１７等の点灯状態によって各機器の動作状態を通知できる。例えば、照明装置１７等を点灯・点滅させたり、一時的に照度を調整することにより、ユーザが報知音を聞き逃した場合であっても、各機器の動作状態をより確実に通知できるようになる。
【００４４】
また、人体検知センサ１３によって人体が検知された部屋にのみ報知音を鳴動させるので、ユーザが居る場所で各機器の動作状態を確実に通知すると共に、ユーザが居ない場所での不必要な報知を回避して、消費電力の低減を図ることができる。
【００４５】
また、携帯用端末３１を用いることにより、親機２又は副親機３、４から離れた場所にいるユーザに、各機器の動作状態を通知できるようになる。例えば、ユーザが庭やベランダに出る際にも携帯用端末３１を携行することにより、各機器の動作状態を知得することができ、インターホンシステムの利便性が高められる。
【００４６】
また、記憶部２Ｂに記憶された日時から起算した日時に応じて、各機器の動作を促すことができる。例えば、家庭用電化機器として掃除機を適用する場合は、前に掃除を行った日時から所定の日時が経過したとき掃除を促す通知がなされるので、この通知に応じて掃除を定期的に行うことにより、住宅内を清潔に保つことが可能となる。
【００４７】
また、増設スピーカ２Ｃを用いて親機２又は副親機３、４から離れた場所にいるユーザに各機器の動作状態を通知できる。これにより、ユーザは親機２又は副親機３、４から離れて待機することが可能になり、インターホンシステムの利便性が高められる。
【００４８】
なお、本発明は上記実施形態の構成に限られることなく、少なくとも家庭用電化機器及び／又は住宅用設備機器と無線又は有線で接続されて、各機器の動作状態をインターホンシステムの親機によって知得し、ユーザに報知するように構成されていればよい。また、本発明は種々の変形が可能であり、例えば、各機器の動作状態が複数段階に亘る場合は、各段階毎に随時通知を行ってもよい。また、報知音による通知に加えてモニタ装置２７の表示で動作状態を通知するように構成してもよい。
【符号の説明】
【００４９】
１    インターホンシステム
２    親機（主通信機）
３、４    副親機（副通信機）
８    電子レンジ（家庭用電化機器）
９    ＩＨクッキングヒーター（住宅用設備機器）
１３    人体検知センサ
１５    照明制御装置
１７    照明装置
２２    有線受信部（受信部）
２５    マイク装置（騒音検知部）
２６    スピーカ装置（通知部）
２９    制御部
２Ａ    計数部
２Ｂ    記憶部
【図２】
2011151680.tif 000003
【図３】
2011151680.tif 000004
【図４】
2011151680.tif 000005
【図７】
2011151680.tif 000006
【図８】
2011151680.tif 000007
【図９】
2011151680.tif 000008
【図１】
2011151680.tif 000009
【図５】
2011151680.tif 000010
【図６】
2011151680.tif 000011
【図１０】
2011151680.tif 000012
【図１１】
2011151680.tif 000013
【図１２】
2011151680.tif 000014